(57)【要約】      （修正有）【課題】天井板装着用の野縁を建物の天井躯体に剛体的に取り付けるための野縁取付装置であって、強大な地震等の外部振動や衝撃を受けても、これに十分に耐えることができる簡単な構成の野縁取付装置を提供する。【解決手段】建物壁や建物縦柱等の建物躯体に野縁を取り付けるための取付桟１を水平に固着し、取付桟１に野縁２を取付金物３を介して取り付けるようにした野縁取付装置において、取付金物３は、調整ボルト４と調整板５とを備え、取付桟１には調整ボルト４の先端部４ａが当接して調整ボルト４を縦方向に直立させるための当接部６を有し、調整板５には野縁取付位置調整用縦板７と、取付桟１の当接部６に先端部４ａが当接して縦方向に直立させた調整ボルト４にねじ込んで野縁取付位置調整用縦板７の取付位置を上下に調整するための調整ボルトねじ込み板８と、野縁２を取り付けるための野縁取付板９とを有してなる。【選択図】図１
2020125608.tif 000002
【特許請求の範囲】
【請求項１】
建物壁や建物縦柱等の建物躯体に野縁を取り付けるための取付桟１を水平に固着し、該取付桟１に野縁２を取付金物３を介して取り付けるようにした野縁取付装置において、
取付金物３は、調整ボルト４と調整板５とを備え、取付桟１には調整ボルト４の先端部４ａが当接して調整ボルト４を縦方向に直立させるための当接部６を有し、調整板５には野縁取付位置調整用縦板７と、取付桟１の当接部６に先端部４ａが当接して縦方向に直立させた調整ボルト４にねじ込んで野縁取付位置調整用縦板７の取付位置を上下に調整するための調整ボルトねじ込み板８と、野縁２を取り付けるための野縁取付板９とを有してなる野縁取付装置。
【請求項２】
取付桟１は、縦ウェッブ１ａとその上部側の上フランジ１ｂ及び下部側の下フランジ１ｃと上フランジ１ｂの先端部に下向きに設けられる上リップ１ｄと下フランジ１ｃの先端部に上向きに設けられる下リップ１ｅと上下両リップ１ｄ，１ｅの対向間に設けられる横向きの溝開口１ｆとからなる横向きチャンネル部材からなり、
取付桟１の下フランジ１ｃの上面が調整ボルト４の先端部４ａの当接部６となし、調整板５の野縁取付位置調整用縦板７が取付桟１の下リップ１ｅに対向して設けられており、調整ボルトねじ込み板８は野縁取付位置調整用縦板７の上端部に一体形成され、取付桟１の溝開口１ｆに挿入されて下フランジ１ｃに対向するように設けられており、調整ボルト４はその先端部４ａが当接部６に当接した状態で調整ボルトねじ込み板８の雌ねじ孔８ａにねじ込まれて、調整ボルト４のねじ込み操作によって野縁取付位置調整用縦板７の取付位置を上下に調整するようになっており、野縁取付位置調整用縦板７の下端部に野縁２の外周側に嵌合する下向きコ字状の野縁取付板９が一体形成されてなる請求項１に記載の野縁取付装置。
【請求項３】
野縁取付位置調整用縦板７には該縦板７の全面にわたってビス挿通孔１０が設けられており、該ビス挿通孔１０は縦板７の上部位置側から下部位置側に向かって設けられる複数のビス挿通孔１０ａ〜１０ｇからなる請求項１又は２に記載の野縁取付装置。
【請求項４】
野縁取付位置調整用縦板７の上部位置側から下部位置側に向かって設けられる複数のビス挿通孔１０ａ〜１０ｇは小許の間隙１１を有するよう該縦板７の上部位置側から下部位置側に向かって千鳥状に配設されてなる請求項３に記載の野縁取付装置。
【請求項５】
調整ボルト４の先端部４ａが取付桟１の当接部６に当接した状態で、調整ボルト４は調整ボルトねじ込み板８の雌ねじ孔８ａにねじ込まれ、調整ボルト４のねじ込み操作によって野縁取付位置調整用縦板７の取付位置を上下に調整した調整位置で、固定用ビス１２を取付桟１の下リップ１ｅに面する何れかのビス挿通孔１０ａ〜１０ｇに挿通し、且つ下リップ１ｅにねじ込んで、野縁取付位置調整用縦板７を取付桟１に固定するようにしてなる請求項３又は４に記載の野縁取付装置。
【請求項６】
野縁２は、横ウエッブ２ａとその左右両端部から上向きに設けられる左右両フランジ２ｂ，２ｃと左右両フランジ２ｂ，２ｃの上端部から互いに横方向に対向する左右リップ２ｄ，２ｅと左右両リップ２ｄ，２ｅの対向間に設けられる上向きの溝開口２ｆとからなる上向きチャンネル材からなり、野縁取付位置調整用縦板７の下端部の下向きコ字状の野縁取付板９は、野縁２の長手方向に沿うよう横向きに折曲形成された上側板９ａとその左右両端部から下向きコ字状に折曲形成された左右両側板９ｂ，９ｃとからなり、左右両側板９ｂ，９ｃに設けたビス挿通孔１３に固定用ビス１４を挿通し、野縁２の左右両フランジ２ｂ，２ｃにねじ込んで、野縁２を野縁取付板９に固定してなる請求項２〜５の何れかに記載の野縁取付装置。
【請求項７】
野縁２の左右両リップ２ｄ，２ｅに両者の裏側から係合する係合部１５ａ，１５ｂを左右両端部に有し、且つ左右係合部１５ａ，１５ｂ間の中心部に固定用ボルト孔１６を設けた固定部１５ｃを有する野縁係合駒１５によって、野縁２を野縁取付板９に係止してなる請求項６に記載の野縁取付装置。
【請求項８】
野縁取付板９の上側板９ａから固定用ボルト１７を上側板９ａに設けたボルト挿通孔１８に挿通し、且つ野縁係合駒１５の固定部１５ｃに設けた固定用ボルト孔１６にねじ込み、該固定用ボルト１７によって野縁係合駒１５の左右両端部の係合部１５ａ，１５ｂ  ａを野縁２の左右両リップ２ｄ，２ｅに両者の裏側から係合させ、しかる後に固定用ボルト１７を固定用ボルト孔１６に締めつけることによって、野縁係合駒１５を野縁２の左右両リップ２ｄ，２ｅに係止してなる請求項７に記載の野縁取付装置。
【発明の詳細な説明】
【技術分野】
【０００１】
本発明は、天井板装着用の野縁を建物の天井躯体に剛体的に取り付けるための野縁取付装置に関する。
【背景技術】
【０００２】
天井板装着用の野縁は一般的には天井躯体の天井部から吊り下げた吊りボルトに野縁受けを介して野縁を取り付け、吊りボルトに吊持された野縁に天井板を装着させるようにしていた。
【０００３】
このような吊りボルトによって吊持する野縁によって天井板を装着する吊りボルト吊持タイプでは地震時における吊りボルトの脱落等で重大な危害が発生するということから、近年では野縁を吊りボルトで吊持するのではなく、建物躯体に取付桟を介して直接に取り付けた野縁に天井板を装着するという一種の剛体構造による天井板装着タイプが開発されるようになっている。その一例が下記の特許文献１に記載の工法である。
しかし、この剛体取り付け構造はかなり複雑の構造となっており、部品点数も多くなり製造費が高価になるという難点があった。
【先行技術文献】
【特許文献】
【０００４】
【特許文献１】特開２０１７−２２６９８９号公報
【発明の概要】
【発明が解決しようとする課題】
【０００５】
本発明は、上記従来技術に鑑み、野縁を取付桟に取り付けるにあたって、強大な地震等の外部振動や衝撃を受けても、これに十分に耐えることができる簡単な構成の野縁取付装置を提案することを目的とするものである。
【課題を解決するための手段】
【０００６】
上記目的を達成するための手段を図面の参照符号を付して示せば、請求項１の発明に係る野縁取付装置は、建物壁や建物縦柱等の建物躯体に野縁を取り付けるための取付桟１を水平に固着し、該取付桟１に野縁２を取付金物３を介して取り付けるようにした野縁取付装置において、取付金物３は、調整ボルト４と調整板５とを備え、取付桟１には調整ボルト４の先端部４ａが当接して調整ボルト４を縦方向に直立させるための当接部６を有し、調整板５には野縁取付位置調整用縦板７と、取付桟１の当接部６に先端部４ａが当接して縦方向に直立させた調整ボルト４にねじ込んで野縁取付位置調整用縦板７の取付位置を上下に調整するための調整ボルトねじ込み板８と、野縁２を取り付けるための野縁取付板９とを有してなる構成からなるものである。
【０００７】
また、請求項２の発明に係る野縁取付装置は、取付桟１は、縦ウェッブ１ａとその上部側の上フランジ１ｂ及び下部側の下フランジ１ｃと上フランジ１ｂの先端部に下向きに設けられる上リップ１ｄと下フランジ１ｃの先端部に上向きに設けられる下リップ１ｅと上下両リップ１ｄ，１ｅの対向間に設けられる横向きの溝開口１ｆとからなる横向きチャンネル部材からなり、取付桟１の下フランジ１ｃの上面が調整ボルト４の先端部４ａの当接部６となし、調整板５の野縁取付位置調整用縦板７が取付桟１の下リップ１ｅに対向して設けられており、調整ボルトねじ込み板８は野縁取付位置調整用縦板７の上端部に一体形成され、取付桟１の溝開口１ｆに挿入されて下フランジ１ｃに対向するように設けられており、調整ボルト４はその先端部４ａが当接部６に当接した状態で調整ボルトねじ込み板８の雌ねじ孔８ａにねじ込まれて、調整ボルト４のねじ込み操作によって野縁取付位置調整用縦板７の取付位置を上下に調整するようになっており、野縁取付位置調整用縦板７の下端部に野縁２の外周側に嵌合する下向きコ字状の野縁取付板９が一体形成されてなる請求項１に記載の構成からなるものである。
【０００８】
また、請求項３の発明に係る野縁取付装置は、野縁取付位置調整用縦板７には該縦板７の全面にわたってビス挿通孔１０が設けられており、該ビス挿通孔１０は縦板７の上部位置側から下部位置側に向かって設けられる複数のビス挿通孔１０ａ〜１０ｇからなる請求項１又は２に記載の構成からなるものである。
【０００９】
また、請求項４の発明に係る野縁取付装置は、野縁取付位置調整用縦板７の上部位置側から下部位置側に向かって設けられる複数のビス挿通孔１０ａ〜１０ｇは小許の間隙１１を有するよう該縦板７の上部位置側から下部位置側に向かって千鳥状に配設されてなる請求項３に記載の構成からなるものである。
【００１０】
また、請求項５の発明に係る野縁取付装置は、調整ボルト４の先端部４ａが取付桟１の当接部６に当接した状態で、調整ボルト４は調整ボルトねじ込み板８の雌ねじ孔８ａにねじ込まれ、調整ボルト４のねじ込み操作によって野縁取付位置調整用縦板７の取付位置を上下に調整した調整位置で、固定用ビス１２を取付桟１の下リップ１ｅに面する何れかのビス挿通孔１０ａ〜１０ｇに挿通し、且つ下リップ１ｅにねじ込んで、野縁取付位置調整用縦板７を取付桟１に固定するようにしてなる請求項３又は４に記載の構成からなるものである。
【００１１】
また、請求項６の発明に係る野縁取付装置は、野縁２は、横ウエッブ２ａとその左右両端部から上向きに設けられる左右両フランジ２ｂ，２ｃと左右両フランジ２ｂ，２ｃの上端部から互いに横方向に対向する左右リップ２ｄ，２ｅと左右両リップ２ｄ，２ｅの対向間に設けられる上向きの溝開口２ｆとからなる上向きチャンネル材からなり、野縁取付位置調整用縦板７の下端部の下向きコ字状の野縁取付板９は、野縁２の長手方向に沿うよう横向きに折曲形成された上側板９ａとその左右両端部から下向きコ字状に折曲形成された左右両側板９ｂ，９ｃとからなり、左右両側板９ｂ，９ｃに設けたビス挿通孔１３に固定用ビス１４を挿通し、野縁２の左右両フランジ２ｂ，２ｃにねじ込んで、野縁２を野縁取付板９に固定してなる請求項２〜５の何れかに記載の構成からなるものである。
【００１２】
また、請求項７の発明に係る野縁取付装置は、野縁２の左右両リップ２ｄ，２ｅに両者の裏側から係合する係合部１５ａ，１５ｂを左右両端部に有し、且つ左右係合部１５ａ，１５ｂ間の中心部に固定用ボルト孔１６を設けた固定部１５ｃを有する野縁係合駒１５によって、野縁２を野縁取付板９に係止してなる請求項６に記載の野縁取付装置。
【００１３】
また、請求項８の発明に係る野縁取付装置は、野縁取付板９の上側板９ａから固定用ボルト１７を上側板９ａに設けたボルト挿通孔１８に挿通し、且つ野縁係合駒１５の固定部１５ｃに設けた固定用ボルト孔１６にねじ込み、該固定用ボルト１７によって野縁係合駒１５の左右両端部の係合部１５ａ，１５ｂ  ａを野縁２の左右両リップ２ｄ，２ｅに両者の裏側から係合させ、しかる後に固定用ボルト１７を固定用ボルト孔１６に締めつけることによって、野縁係合駒１５を野縁２の左右両リップ２ｄ，２ｅに係止してなる請求項７に記載の構成からなるものである。
【発明の効果】
【００１４】
次に、本発明の効果について、図面の参照符号を付して説明する。請求項１の発明に係る野縁取付装置によれば、建物壁や建物縦柱等の建物躯体に水平に固着された取付桟１に備えた取付金物３を介して、野縁２は剛体的に取付桟１に取り付けられるようになっており、しかも取付金物３は調整ボルト４と調整板５とを備える簡単な構成からなり、取付桟１に設けた当接部６に調整ボルト４の先端部４ａが当接して調整ボルト４を取付桟１に縦方向に直立させ、この状態で調整板５に有してなる野縁取付位置調整用縦板７と調整ボルトねじ込み板８と野縁取付板９のうち調整ボルトねじ込み板８に調整ボルト４をねじ込み、該調整ボルト４のねじ込み操作だけで、取付桟１に対する野縁取付位置調整用縦板７と野縁取付板９の取付位置を上下に調整するようにしたため、簡単な操作によって野縁２に取り付けられる天井板を取付桟１に対して最適の上下位置に配設することができる。更に取付桟１は建物躯体に水平に取り付けられるが、その水平度が若干傾斜しており、これを補正する必要がある場合、あるいは天井板が若干傾斜して取り付けられる必要がある場合には、調整ボルト４の先端部４ａが取付桟１の当接部６に当接している当接点、すなわち先端部４ａを支点として、これより調整ボルト４を左右に微妙に傾斜させることによって調整ボルト４に連繋している調整板５の野縁取付位置調整用縦板７及び野縁取付板９並びにこれに取り付けられる野縁２及び天井板を水平に補正したり、これらを必要とする傾斜度に調整することができる。
【００１５】
又、請求項２の発明に係る野縁取付装置によれば、取付桟１は、縦ウェッブ１ａとその上部側の上フランジ１ｂ及び下部側の下フランジ１ｃと上フランジ１ｂの先端部に下向きに設けられる上リップ１ｄと下フランジ１ｃの先端部に上向きに設けられる下リップ１ｅと上下両リップ１ｄ，１ｅの対向間に設けられる横向きの溝開口１ｆとからなる横向きチャンネル部材からなり、取付桟１の下フランジ１ｃの上面を利用して、これに調整ボルト４の先端部４ａが当接する当接部６となして、調整ボルト４は横向きチャンネル材からなる取付桟１のチャッネル内に直立状に設けられ、調整板５の野縁取付位置調整用縦板７が取付桟１の下リップ１ｅに対向して設けられており、調整ボルトねじ込み板８は野縁取付位置調整用縦板７の上端部に一体形成され、取付桟１の溝開口１ｆから取付桟１のチャッネル内に挿入されて下フランジ１ｃに対向するように設けられており、調整ボルト４はその先端部４ａが当接部６に当接した状態で調整ボルトねじ込み板８の雌ねじ孔８ａにねじ込まれて、調整ボルト４のねじ込み操作によって野縁取付位置調整用縦板７の取付位置を上下に調整するようになっており、そして野縁取付位置調整用縦板７の下端部に野縁２の外周側に嵌合する下向きコ字状の野縁取付板９が一体形成されてなるため、取付桟１に形成した当接部６に先端部４ａが当接する調整ボルト４とこれにねじ込まれる調整板５とによって野縁２を取付桟１に対して最適の上下位置に配設することができ、しかもこれが取付桟１とこれにねじ込まれる調整板５との２部品によって大半が達成することができるため製作費が安価となり、又、野縁２の配設が単に調整ボルト４のねじ込み操作で大半を行うことができるため、野縁２を最適の位置に配設するための操作が簡単である。
【００１６】
また、請求項３の発明に係る野縁取付装置によれば、野縁取付位置調整用縦板７には該縦板７の全面にわたってビス挿通孔１０が設けられており、該ビス挿通孔１０は縦板７の上部位置側から下部位置側に向かって設けられる複数のビス挿通孔１０ａ〜１０ｇからなるため、取付桟１の下リップ１ｅに対向する野縁取付位置調整用縦板７が上下に調整変移しても、該縦板７に設けられる複数のビス挿通孔１０ａ〜１０ｇのうち何れかのビス挿通孔１０ａ・・・又は１０ｇを下リップ１ｅに対面させることができ、したがって野縁取付位置調整用縦板７が上下に調整変移しても、固定用ビス１２を上記縦板７のビス挿通孔１０に挿通させて下リップ１ｅにねじ止めすることに支障を来すことはない。
【００１７】
また、請求項４の発明に係る野縁取付装置によれば、野縁取付位置調整用縦板７の上部位置側から下部位置側に向かって設けられる複数のビス挿通孔１０ａ〜１０ｇは小許の間隙１１を有するよう縦板７の上部位置側から下部位置側に向かって千鳥状に配設されてなるため、該縦板７の上部位置側から下部位置側に向かって設けられる複数のビス挿通孔１０ａ〜１０ｇの各間隙１１は、許される限り小幅に形成することができ、これによって調整板５に取り付けられる野縁２の上下変移量を野縁２の取付位置に合わせて少量宛変移させて野縁２の上下取付位置を微妙に且つ正確に上下調整することができる。
【００１８】
また、請求項５の発明に係る野縁取付装置によれば、調整ボルト４の先端部４ａが取付桟１の当接部６に当接した状態で、調整ボルト４は調整ボルトねじ込み板８の雌ねじ孔８ａにねじ込まれ、調整ボルト４のねじ込み操作によって野縁取付位置調整用縦板７の取付位置を上下に調整した調整位置で、固定用ビス１２を取付桟１の下リップ１ｅに面する何れかのビス挿通孔１０ａ〜１０ｇに挿通し、且つ下リップ１ｅに図示仮想線ａに示す位置にねじ込んで、野縁取付位置調整用縦板７を取付桟１に固定するようにしてなるため、野縁取付位置調整用縦板７の取付位置を上下に調整した調整位置で、固定用ビス１２を取付桟１の下リップ１ｅの何れかのビス挿通孔１０ａ〜１０ｇに挿通し、且つ取付桟１の下リップ１ｅにねじ込んで野縁取付位置調整用縦板７を野縁２に無理なく確実に固定することができる。
【００１９】
また、請求項６の発明に係る野縁取付装置によれば、野縁２は、横ウエッブ２ａとその左右両端部から上向きに設けられる左右両フランジ２ｂ，２ｃと左右両フランジ２ｂ，２ｃの上端部から互いに横方向に対向する左右リップ２ｄ，２ｅと左右両リップ２ｄ，２ｅの対向間に設けられる上向きの溝開口２ｆとからなる上向きチャンネル材からなり、野縁取付位置調整用縦板７の下端部の下向きコ字状の野縁取付板９は、野縁２の長手方向に沿うよう横向きに折曲形成された上側板９ａとその左右両端部から下向きコ字状に折曲形成された左右両側板９ｂ，９ｃとからなり、左右両側板９ｂ，９ｃに設けたビス挿通孔１３に固定用ビス１４を挿通し、野縁２の左右両フランジ２ｂ，２ｃにねじ込んで、野縁２を野縁取付板９に固定してなるため、簡単な構成によって野縁取付板９に仮想線ｂに示す位置に野縁２を固定することができる。
【００２０】
また、請求項７の発明に係る野縁取付装置によれば、野縁２の左右両リップ２ｄ，２ｅに両者の裏側から係合する係合部１５ａ，１５ｂを左右両端部に有し、且つ左右係合部１５ａ，１５ｂ間の中心部に固定用ボルト孔１６を設けた固定部１５ｃを有する野縁係合駒１５によって、野縁２を野縁取付板９に係止してなるため、上記のように野縁取付板９の左右両側板９ｂ，９ｃを野縁２の左右両フランジ２ｂ，２ｃに当て付け両者を固定用ビス１４によって固定するだけでなく、野縁２を野縁係合駒１５によっても野縁取付板９に係止してなるため、地震等の外部振動を受けても、野縁２の調整板５からの脱落を確実に防止することができる。
【００２１】
また、請求項８の発明に係る野縁取付装置によれば、野縁取付板９の上側板９ａから固定用ボルト１７を上側板９ａに設けたボルト挿通孔１８に挿通し、且つ野縁係合駒１５の固定部１５ｃに設けた固定用ボルト孔１６にねじ込み、該固定用ボルト１７によって野縁係合駒１５の左右両端部の係合部１５ａ，１５ｂを野縁２の左右両リップ２ｄ，２ｅに両者の裏側から係合させ、しかる後に固定用ボルト１７を固定用ボルト孔１６に締めつけることによって、野縁係合駒１５を野縁２の左右両リップ２ｄ，２ｅに係止してなるため、野縁係合駒１５の左右両端部の係合部１５ａ，１５ｂの野縁２の左右両リップ２ｄ，２ｅへの係合作業、及びその後の固定用ボルト１７の野縁係合駒１５へのねじ込み締め付け作業を円滑に行うことができ、野縁係合駒１５を野縁２に確実容易に係止させることができる。
【図面の簡単な説明】
【００２２】
【図１】本発明の一実施形態の分解斜視図である。
【図２】同本発明の一実施形態を示す斜視図である。
【図３】同正面図である。
【図４】同縦断側面図である。
【図５】同本発明の他の実施形態を示す斜視図である。
【図６】同正面図である。
【図７】同縦断側面図である。
【図８】本発明の実施形態によって構築された天井構造を示す斜視図である。
【発明を実施するための形態】
【００２３】
以下に、本発明に係る野縁取付装置の実施形態ついて、図面を参照して具体的に説明すると、先ず図８に示すように、建物壁や建物縦柱等の建物躯体（図示せず）に取付桟１を１〜２ｍ等適当間隔に水平に周知の支持構造、例えば取付桟１の両端部にＬ字状の支持金具によって固着する。このように建物躯体に剛体的に固着された取付桟１を中心に天井構造を構築する点で、従来一般に採用されていた天井吊りボルトによる吊持構造の天井構築構造と根本的に天井構築構造を異にする。そして、取付桟１の長手方向に直交して多数の野縁２が本発明に係る取付金物３によって５０ｃｍ等適当間隔に取り付けられ、該野縁２に天井板Ｐが接着やビス止め等の周知の固定手段によって装着されることになる。
【００２４】
図１は、取付桟１と野縁２と両者を連結するための取付金物３との分解斜視図である。取付金物３は調整ボルト４と調整板５とを備え、又、取付桟１には調整ボルト４の先端部４ａが当接して調整ボルト４を縦方向に直立させるための当接部６を有し、調整板５には野縁取付位置調整用縦板７と、取付桟１の当接部６に先端部４ａが当接して縦方向に直立させた調整ボルト４にねじ込んで野縁取付位置調整用縦板７の取付位置を上下に調整するための調整ボルトねじ込み板８と、野縁２を取り付けるための野縁取付板９とを有してなる構成からなるものである。
【００２５】
また、取付桟１は、縦ウェッブ１ａとその上部側の上フランジ１ｂ及び下部側の下フランジ１ｃと上フランジ１ｂの先端部に下向きに設けられる上リップ１ｄと下フランジ１ｃの先端部に上向きに設けられる下リップ１ｅと上下両リップ１ｄ，１ｅの対向間に設けられる横向きの溝開口１ｆとからなる横向きチャンネル部材からなる。
【００２６】
そして、取付桟１の下フランジ１ｃの上面が調整ボルト４の先端部４ａの当接部６となし、調整板５の野縁取付位置調整用縦板７が取付桟１の下リップ１ｅに対向して設けられており、調整ボルトねじ込み板８は野縁取付位置調整用縦板７の上端部に取付桟１側に折曲して一体形成され、取付桟１の溝開口１ｆからチャンネル状取付桟１のチャンネル内に挿入されて下フランジ１ｃに対向するように設けられており、調整ボルト４はその先端部４ａが当接部６に当接した状態で調整ボルトねじ込み板８の雌ねじ孔８ａにねじ込まれて、調整ボルト４のねじ込み操作によって野縁取付位置調整用縦板７の取付位置を上下に調整するようになっている。
【００２７】
野縁取付位置調整用縦板７には該縦板７の全面にわたってビス挿通孔１０が設けられており、該ビス挿通孔１０は縦板７の上部位置側から下部位置側に向かって設けられる複数のビス挿通孔１０ａ〜１０ｇからなり、これら複数のビス挿通孔１０ａ〜１０ｇは小許の間隙１１を有するよう縦板７の上部位置側から下部位置側に向かって千鳥状に配設されてなる。
【００２８】
そして、調整ボルト４は矢印で示すように取付桟１のチャンネル内部に配設されて、図２〜図４に示すように、調整ボルト４の先端部４ａが取付桟１の当接部６に当接した状態で、調整ボルト４は調整ボルトねじ込み板８の雌ねじ孔８ａにねじ込まれ、調整ボルト４のねじ込み操作によって野縁取付位置調整用縦板７の取付位置を上下に調整し、図１〜図３に示すように、一対の例えば周知の構造のテスクねじ（ドリルねじ）からなる固定用ビス１２を周知のインパクトドライバーを用いて取付桟１の下リップ１ｅに面する何れかのビス挿通孔１０ａ〜１０ｇ、例えば下リップ１ｅに面する左右一対のビス挿通孔１０ａに挿通し、且つ取付桟１の下リップ１ｅに図示仮想線ａに示す位置にねじ込んで、野縁取付位置調整用縦板７を取付桟１に固定するようになっている。
【００２９】
この場合に、例えば図１〜図３に示すように、調整ボルト４によって調整ボルトねじ込み板８が下方寄りに変移した位置で固定用ビス１２を下リップ１ｅに面する左右一対のビス挿通孔１０ａに挿通し、且つ下リップ１ｅにねじ込むことによって、図４に示すように、取付桟１と野縁２との間に大きな距離Ｓ１の隙間を設けることになり、野縁２を所望の位置に取り付けるようになっているが、例えば図５〜図７に示すように取付桟１と野縁２との間に殆ど隙間を設けることなく小さな距離Ｓ2 の隙間が好ましい場合には、調整ボルト４のねじ込み操作によって野縁取付位置調整用縦板７の取付位置を上方に調整し、図５〜図７に示すように、一対の固定用ビス１２を取付桟１の下リップ１ｅに面する何れかのビス挿通孔１０ａ〜１０ｇ、例えば下リップ１ｅに面する左右一対のビス挿通孔１０e （図１参照）に挿通し、且つ下リップ１ｅにねじ込んで、野縁取付位置調整用縦板７を取付桟１に固定することによって野縁２を取付桟１に近接した所望の位置に取り付けることができる。
【００３０】
また、野縁２は、横ウエッブ２ａとその左右両端部から上向きに設けられる左右両フランジ２ｂ，２ｃと左右両フランジ２ｂ，２ｃの上端部から互いに横方向に対向する左右リップ２ｄ，２ｅと左右両リップ２ｄ，２ｅの対向間に設けられる上向きの溝開口２ｆとからなる上向きチャンネル材からなり、野縁取付位置調整用縦板７の下端部の下向きコ字状の野縁取付板９は、野縁２の長手方向に沿うよう横向きに折曲形成された上側板９ａとその左右両端部から下向きコ字状に折曲形成された左右両側板９ｂ，９ｃとからなり、野縁２の外周側に嵌合し、左右両側板９ｂ，９ｃに設けたビス挿通孔１３に周知のタスクねじ（ドリルねじ）からなる固定用ビス１４を挿通し、周知のインパクトドライバーを用いて野縁２の左右両フランジ２ｂ，２ｃに図示仮想線ｂに示す位置にねじ込んで、野縁２を野縁取付板９に固定してなる。
【００３１】
この場合に、野縁２を野縁取付板９に固定するにあたって、先ず図１〜図７に示すように固定用ビス１２を野縁取付位置調整用縦板７の複数のビス挿通孔１０ａ〜１０ｇの何れかに挿通させて取付桟１の下リップ１ｅにねじ込むことによって取付桟１と野縁２との間に所望の隙間Ｓ１又はＳ２を決定した後に、野縁２を野縁取付板９に固定するようにする。この際、野縁取付位置調整用縦板７の上部位置側から下部位置側に向かって設けられる複数のビス挿通孔１０ａ〜１０ｇは小許の間隙１１を有するよう縦板７の上部位置側から下部位置側に向かって千鳥状に配設されてなるため、該縦板７の上部位置側から下部位置側に向かって設けられる複数のビス挿通孔１０ａ〜１０ｇの各間隙１１は、許される限り小幅に形成することができ、これによって調整板５に取り付けられる野縁２の上下変移量を野縁２の取付位置に合わせて少量宛変移させて野縁２の上下取付位置を微妙に且つ正確に上下調整することができる。
【００３２】
また、野縁２の左右両リップ２ｄ，２ｅに両者の裏側から係合する係合部１５ａ，１５ｂを左右両端部に有し、且つ左右係合部１５ａ，１５ｂ間の中心部に固定用ボルト孔１６を設けた固定部１５ｃを有する野縁係合駒１５が設けられ、野縁取付板９の上側板９ａから固定用ボルト１７を上側板９ａに設けたボルト挿通孔１８に挿通し、且つ野縁係合駒１５の固定部１５ｃに設けた固定用ボルト孔１６にねじ込み、該固定用ボルト１７によって野縁係合駒１５の左右両端部の係合部１５ａ，１５ｂを野縁２の左右両リップ２ｄ，２ｅに両者の裏側から係合させ、しかる後に固定用ボルト１７を固定用ボルト孔１６に強く締めつけることによって、野縁係合駒１５を野縁２の左右両リップ２ｄ，２ｅに係止するようになっている。
【００３３】
このように、野縁係合駒１５の左右両端部の係合部１５ａ，１５ｂの野縁２の左右両リップ２ｄ，２ｅへの係合作業、及びその後の固定用ボルト１７の野縁係合駒１５へのねじ込み締め付け作業を円滑に行うことができ、野縁係合駒１５を野縁２に確実容易に係止させることができる。
【００３４】
野縁係合駒１５の左右両端部の係合部１５ａ，１５ｂの野縁２の左右両リップ２ｄ，２ｅへの係合作業、及びその後の固定用ボルト１７の野縁係合駒１５へのねじ込み締め付け作業は、野縁取付板９の左右両側板９ｂ，９ｃを野縁２の左右両フランジ２ｂ，２ｃに当て付け両者を固定用ビス１４によって固定した後でも、固定する前に行ってよい。このように野縁取付板９の左右両側板９ｂ，９ｃを野縁２の左右両フランジ２ｂ，２ｃに当て付け両者を固定用ビス１４によって固定するだけでなく、野縁２を野縁係合駒１５によっても野縁取付板９に係止することによって、地震等の外部振動を受けても、野縁２の調整板５からの脱落を確実に防止することができる。
【符号の説明】
【００３５】
１          取付桟
２          野縁
３          取付金物
４          調整ボルト
５          調整板５
６          当接部
７          野縁取付位置調整用縦板
８          調整ボルトねじ込み板
９          野縁取付板
【図１】
2020125608.tif 000003
【図２】
2020125608.tif 000004
【図３】
2020125608.tif 000005
【図４】
2020125608.tif 000006
【図５】
2020125608.tif 000007
【図６】
2020125608.tif 000008
【図７】
2020125608.tif 000009
【図８】
2020125608.tif 000010